(57)【特許請求の範囲】
【請求項１】
浴室と浴室外を連通する開口部に固定される下枠及び前記下枠に設けられるカバー部材を備える建具であって、
前記下枠は、前記浴室床面より上方に突出しており、
前記カバー部材は、傾斜面を有するスロープであり、
前記下枠に固定され、前記下枠の上面との間で内側空間を形成するカバー本体部と、
前記カバー本体部から下側に延出し、前記下枠の浴室内側の端部とともに隙間を形成する延出部と、
を有し、
前記隙間は、前記内側空間と前記浴室を上下に連通する建具。
【請求項２】
前記延出部は、鉛直下方に延び、前記端部と見込方向で対面する垂直部分を有し、
前記垂直部分と前記端部の間に前記隙間が形成される請求項１に記載の建具。
【発明の詳細な説明】
【技術分野】
【０００１】
本発明は、浴室の開口部に取り付けられる建具に関する。
【背景技術】
【０００２】
従来から、浴室の開口部に取り付けられる建具の下枠にカバー部材を取り付ける構成が知られている。この種の建具を開示するものとして例えば特許文献１がある。特許文献１には、枠体と枠体の枠組み内に配置される障子を備える建具（開口部装置）において、下枠は、見込み方向に延びるスロープ設置片と、スロープ設置片の上面に見付け方向左右に離隔して固定された２つのスロープ固定部材と、見込方向に傾斜面を有し、２つのスロープ固定部材を渡すように両端部がスロープ固定部材に固定されたスロープと、を有する構成が開示されている。
【先行技術文献】
【特許文献】
【０００３】
【特許文献１】特開２０１４−１０９１２８号公報
【発明の概要】
【発明が解決しようとする課題】
【０００４】
ところで、カバー部材の内側に溜まった水は汚れの原因にもなるため、外側に排出されることが好ましい。この点、特許文献１に開示される建具は、清掃性に優れるものの、カバー部材の内側に入った水が平坦に形成される下枠（スロープ設置片）の上面に留まってしまうことがあった。即ち、従来の建具には、カバー部材と下枠の間の空間に侵入する水をカバー部材の内側で留まり難くするという点で改善の余地があった。
【０００５】
本発明は、浴室の開口部に取り付けられる建具において、下枠とカバー部材の間の空間に水が留まり難い構成を提供することを目的とする。
【課題を解決するための手段】
【０００６】
本発明は、浴室と浴室外を連通する開口部に固定される下枠（例えば、後述の下枠１２）及び前記下枠に設けられるカバー部材（例えば、後述のスロープ１００）を備える建具（例えば、後述の建具１）であって、前記カバー部材は、前記下枠に固定され、前記下枠の上面との間で内側空間（例えば、後述の内側空間９０）を形成するカバー本体部（例えば、後述のカバー本体部１１０，２１０）と、前記カバー本体部から下側に延出し、前記下枠の浴室内側の端部（例えば、後述のスロープ設置片１２３）とともに隙間（例えば、後述の隙間ｄ）を形成する延出部（例えば、後述の延出部１４２）と、を有し、前記隙間は、前記内側空間と前記浴室を上下に連通する建具に関する。
【０００７】
前記延出部は、鉛直下方に延び、前記端部と見込方向で対面する垂直部分を有し、前記垂直部分と前記端部の間に前記隙間が形成されることが好ましい。
【発明の効果】
【０００８】
本発明によれば、浴室の開口部に取り付けられる建具において、下枠とカバー部材の間の空間に水が留まり難い構成を提供できる。
【図面の簡単な説明】
【０００９】
【図１】第１実施形態のスロープが適用される建具を浴室側から見た斜視図である。
【図２】第１実施形態のスロープの表面側を示す斜視図である。
【図３】第１実施形態のスロープの裏面側を示す斜視図である。
【図４】第１実施形態の下枠に取り付けられたスロープの断面図である。
【図５】第１実施形態のスロープを取り外した状態の下枠を示す斜視図である。
【図６】戸先側のスロープ固定部材及びその近傍を示す拡大斜視図である。
【図７】第１実施形態のスロープを下枠に取り付ける様子を示す断面斜視図である。
【図８】下枠とスロープの先端部近傍の拡大断面図である。
【図９】第２実施形態の下枠に取り付けられたスロープの断面図である。
【発明を実施するための形態】
【００１０】
以下、本発明の好ましい各実施形態について、図面を参照しながら説明する。なお、本明細書において、「見付方向」とは、建物に形成された開口部に納められた建具における障子の面方向（すなわち、左右方向）を意味し、「見込方向」とは、上記障子の厚さ方向（すなわち、奥行き方向）を意味する。
【００１１】
図１は、第１実施形態のスロープ１００が適用される建具１を浴室側から見た斜視図である。本実施形態の建具１は、枠体１０と、枠体１０の内側で見付方向に移動可能な障子２０と、枠体１０に取り付けられるスロープ１００と、を備える。
【００１２】
枠体１０は、建物としてのユニットバス（図示省略）に形成される開口部に設けられる。ユニットバスの内側には防水パン及び浴槽（図示省略）等が設けられる浴室空間が形成される。ユニットバスの開口部は、浴室内とユニットバスの外側の脱衣室（浴室外）を接続する出入口となる。
【００１３】
本実施形態の枠体１０は、上枠１１と、下枠１２と、左右それぞれに配置される縦枠１５と、方立１６と、によって矩形の枠組みとして形成される。
【００１４】
方立１６は、上枠１１、下枠１２及び左右の縦枠１５によって囲まれた枠内を２つの空間に区画している。方立１６によって分割された一側の空間にはパネル１７が固定される。本実施形態では、パネル１７の脱衣室側の面に戸袋（図示省略）が形成されている。枠体１０の内側において、方立１６を挟んでパネル１７の反対側の開口部分はユーザが浴室と脱衣室を行き来する通路となる。
【００１５】
障子２０は、方立１６を挟んでパネル１７の反対側の開口部分を閉じる閉鎖位置と、戸袋に納まって開口部分を開く開放位置と、の間をスライド可能に枠体１０によって支持される。
【００１６】
本実施形態の障子２０は、上框（図示省略）と、下框２２と、左右それぞれに配置される縦框２３と、により矩形に枠組みされた框２５と、框２５の内側に固定されるガラス２６と、を備える。なお、框２５の内側に固定される面材は、ガラスに限らず、樹脂製のものやアルミと樹脂の複合面材でも良く、事情に応じて適宜変更できる。また、戸先側の縦框２３には、高さ方向の略中央部にプレートハンドル５０と、錠の開閉を行うためのサムターン６０と、が設けられる。
【００１７】
本実施形態の下枠１２は、浴室内の防水パン２の床面よりも上方に突出しており、この下枠１２にスロープ１００が取り付けられる。
【００１８】
次に、第１実施形態のスロープ１００の全体形状について説明する。図２は、第１実施形態のスロープ１００の表面側を示す斜視図である。図３は、第１実施形態のスロープ１００の裏面側を示す斜視図である。
【００１９】
図２に示すように、スロープ１００は、カバー本体部１１０と、左右１組のカバー嵌合部１３０と、を備える。
【００２０】
カバー本体部１１０は、その全体形状が見付方向に延びる細長の部材となっている。本実施形態のカバー本体部１１０は、その上面１４１に長手方向に沿って延びる溝１１５が複数形成されている。
【００２１】
カバー本体部１１０における見込方向の浴室側には、該カバー本体部１１０から下側に延び出る延出部１４２が形成される。延出部１４２は、カバー本体部１１０の見込方向の浴室側の略全域に形成されており、スロープ１００の先端部となっている。なお、延出部１４２の構成の詳細については後述する。
【００２２】
図３に示すように、カバー本体部１１０は、その裏側にスロープ側係合部１１１と、水返し材保持部１１２と、支持材保持部１１３と、が形成される。
【００２３】
スロープ側係合部１１１は、下枠１２にカバー本体部１１０を係合するためのものである。本実施形態のスロープ側係合部１１１は、カバー本体部１１０の裏側における見込方向の脱衣室側に位置しており、カバー本体部１１０の長手方向に沿って延びている。
【００２４】
水返し材保持部１１２は、スロープ側係合部１１１よりも見込方向の浴室側に位置している。水返し材保持部１１２には、カバー本体部１１０の長手方向に沿って延びる溝が形成されており、この溝に水返し材１５１が嵌め込まれる。本実施形態では１つの水返し材１５１によって長手方向の略全域がカバーされている。なお、水返し材は、長手方向で複数に分割されているものを用いてもよい。
【００２５】
支持材保持部１１３は、水返し材保持部１１２よりも見込方向の浴室側に位置している。支持材保持部１１３には、カバー本体部１１０の長手方向に沿って延びる溝が形成されており、この溝に支持材１５２が嵌め込まれる。本実施形態では２つの支持材１５２によって長手方向の略全域がカバーされている。なお、支持材１５２は、第１実施形態のように複数に分割されているものでもよいし、１つの部材で長手方向の略全域をカバーするようにしてもよい。
【００２６】
カバー嵌合部１３０は、カバー本体部１１０とは別体として構成されており、カバー本体部１１０の両端部にそれぞれ連結されている。カバー嵌合部１３０の裏側には下枠１２と嵌合するための嵌合構造が形成される。
【００２７】
次に、下枠１２に取り付けられた状態のスロープ１００について説明する。図４は、第１実施形態の下枠１２に取り付けられたスロープ１００の断面図である。図５は、第１実施形態のスロープ１００を取り外した状態の下枠１２を示す斜視図である。図６は、戸先側のスロープ固定部材１８及びその近傍を示す拡大斜視図である。図７は、第１実施形態のスロープ１００を下枠１２に取り付ける様子を示す断面斜視図である。
【００２８】
下枠１２の詳細な構成について説明する。図４に示すように、下枠１２は、下枠本体１２１と、ガイド部１２２と、スロープ設置片１２３と、を備える。
【００２９】
下枠本体１２１は、その長手方向が見付方向を向く長尺の部材であり、枠体１０の下縁となる部分である。下枠本体１２１は、その内側が中空に形成される。
【００３０】
ガイド部１２２は、下枠本体１２１の上部に設けられる。ガイド部１２２には下枠１２の長手方向に沿って延びる溝状の凹部１２５が形成される。
【００３１】
ガイド部１２２の見込方向の脱衣室側であって、凹部１２５の内側には障子ガイド部材１２６を嵌合するガイド嵌合部１２７が形成される。
【００３２】
障子ガイド部材１２６は、凹部１２５の内側でガイド嵌合部１２７に嵌合される。障子ガイド部材１２６と凹部１２５の内壁によってガイド溝１２８が形成される。図４に示すように、本実施形態の障子２０は、その下端部にガイド溝１２８に挿入されるガイド片１２９が設けられており、このガイド片１２９がガイド溝１２８に挿入される。
【００３３】
ガイド部１２２の見込方向の浴室側には下枠側係合部１２０が形成される。下枠側係合部１２０は、スロープ１００のスロープ側係合部１１１に係合する部材であり、開口部分における戸先側の縦枠１５と方立１６の間で下枠１２の長手方向に沿って延びている。
【００３４】
本実施形態の下枠側係合部１２０は、ガイド部１２２における浴室側を向く面から浴室側に突出した後上方に屈曲するＬ字状に形成される。一方、スロープ側係合部１１１は、カバー本体部１１０の脱衣室側の端部が下側に折れ曲る部分１１７と、カバー本体部１１０の裏側から突出するＴ字状の部分１１８と、を有し、下枠側係合部１２０を挟み込む形状となっている。
【００３５】
図５に示すように、スロープ設置片１２３は、下枠本体１２１から見込方向の浴室側に延出しており、戸先側の縦枠１５と方立１６の間をカバーするように下枠１２の長手方向に沿って形成される。本実施形態のスロープ設置片１２３は、その上面１２４が浴室側に近づくにつれて防水パン２の上面に近づくように緩やかに傾斜している。
【００３６】
下枠１２のガイド部１２２における浴室側の面には排出口１１６が複数形成されている。排出口１１６は、下枠１２の内側に侵入した水を浴室側に排出するための孔である。また、スロープ設置片１２３の上面１２４には、左右１組のスロープ固定部材１８が設けられる。図６に示すように、スロープ固定部材１８は、戸先側のカバー嵌合部１３０を嵌合固定するための部材である。
【００３７】
図７に示すように、スロープ１００の両側に位置するカバー嵌合部１３０を左右のスロープ固定部材１８の位置にそれぞれ合わせ、スロープ１００の見込方向の浴室側の端部を持ち上げた状態でスロープ側係合部１１１と下枠側係合部１２０を係合させる。次に、スロープ側係合部１１１と下枠側係合部１２０の係合を維持しつつ、スロープ１００の浴室側の端部を下ろす（図７の矢印の方向）。これにより、スロープ１００が下枠１２に固定される。カバー嵌合部１３０がスロープ固定部材１８に嵌合しているので、見付方向においてもスロープ１００は適切な位置で保持される。
【００３８】
図４に示すように、スロープ１００が下枠１２に取り付けられた状態では、カバー本体部１１０（スロープ１００）の上面１４１は、脱衣室側から浴室側に近づくにつれて防水パン２に近づくように傾斜する。そして、カバー本体部１１０（スロープ１００）の裏面とスロープ設置片１２３に挟まれる内側空間９０が形成されている。
【００３９】
スロープ１００の裏側には、上述の通り、水返し材１５１及び支持材１５２が設けられており、支持材１５２及び水返し材１５１のそれぞれがスロープ設置片１２３の上面１２４に接触する。
【００４０】
支持材１５２は、スロープ設置片１２３の上面１２４に接触することでスロープ１００を支持する。本実施形態の支持材１５２は、硬質の樹脂やゴム等により形成される。
【００４１】
水返し材１５１は、水返し材保持部１１２からスロープ設置片１２３の上面１２４に近づくにつれて見込方向の浴室側に近づくように傾斜しており、その先端部分がスロープ設置片１２３の上面１２４に接触している。本実施形態の水返し材１５１は、樹脂やゴム等の止水性のある弾性部材により構成される。この水返し材１５１により、カバー本体部１１０の内側に侵入した水が浴室側から脱衣室側に向かう動きが阻止される。
【００４２】
本実施形態では、水返し材１５１がスロープ設置片１２３の上面１２４に浴室側に傾いた状態で接触しているので、スロープ１００の浴室側から入り込んだ水から受ける力により水返し材１５１がスロープ設置片１２３の上面１２４側に押されるかたちとなり、止水力が向上する。一方、下枠側係合部１２０とスロープ側係合部１１１の係合部分よりスロープ１００の内側に侵入した水に対して水返し材１５１は浴室側に傾いている分だけ上方に動き易くなっている。即ち、本実施形態の水返し材１５１により、浴室側から脱衣室側には水が移動し難く、脱衣室側から浴室側には水が移動し易くなっている。
【００４３】
次に、本実施形態のスロープ１００の延出部１４２について説明する。図８は下枠１２とスロープ１００の延出部１４２近傍の拡大断面図である。延出部１４２は、スロープ１００が下枠１２に取り付けられた状態において、カバー本体部１１０の浴室側の端部から下側に湾曲した後、垂直に下がる形状（垂直壁）になっている。そして、延出部１４２は、その先端面が下枠１２のスロープ設置片１２３の端面１６０よりも浴室側であって防水パン２よりも上側に位置する。そして、延出部１４２における見込方向の脱衣室側の内側面の一部が、スロープ設置片１２３の端面１６０に対向する位置関係になっている。
【００４４】
延出部１４２の内側面とスロープ設置片１２３の端面１６０の間に、内側空間９０の水を排出するための隙間ｄが形成される。本実施形態では、隙間ｄが０．５ｍｍ〜１．５ｍｍの範囲になるように設定される。この隙間ｄは、下枠１２の長手方向に沿って形成されており、スロープ１００の内側空間９０の水を排出する排出口として機能する。
【００４５】
例えば、下枠側係合部１２０とスロープ側係合部１１１の係合部分の隙間やスロープ１００と枠体１０の隙間等からスロープ１００の内側空間９０に水が侵入すると、傾斜するスロープ設置片１２３の上面１２４によって見込方向の浴室側に水が誘導される。水返し材１５１及び支持材１５２と上面１２４の隙間を通ってスロープ設置片１２３の端面１６０まで達した水は、延出部１４２によって隙間ｄに導かれる（図８の白抜きの矢印参照）。本実施形態では、隙間ｄの幅が狭く設定されており、延出部１４２の近傍まで達した水は毛細管現象によって隙間ｄに引き込まれる。上下方向で内側空間９０に連通する隙間ｄに引き込まれた水は重力により防水パン２側に落下し（図８の隙間ｄの下側の矢印参照）、内側空間９０の外側に排出される。
【００４６】
以上説明した第１実施形態の建具１によれば、以下のような効果を奏する。
即ち、本実施形態の建具１は、ユニットバスの浴室と脱衣室（浴室外）を連通する開口部に固定される下枠１２及び下枠１２に設けられるスロープ１００を備える。スロープ１００は、下枠１２に固定され、下枠１２の上面との間で内側空間９０を形成するカバー本体部１１０と、カバー本体部１１０から下側に延出し、下枠１２の浴室内側の端部であるスロープ設置片１２３とともに隙間ｄを形成する延出部１４２と、を有し、隙間ｄは、内側空間９０と浴室を上下に連通する。
【００４７】
これにより、スロープ１００の内側空間９０に侵入した水は、下枠１２の浴室内側のスロープ設置片１２３の端部に達すると、延出部１４２を伝って下側を向く隙間ｄに導かれ、防水パン２側に排出される。延出部１４２の位置により隙間の大きさを調整できるので、毛細管現象が生ずる幅の隙間ｄに設計することができ、スロープ１００と下枠１２（スロープ設置片１２３）によって形成される内側空間９０から水を排出する力として吸引力と重力の両方を作用させることができる。
【００４８】
延出部１４２は、鉛直下方に延び、スロープ設置片１２３の端部と見込方向で対面する垂直部分を有し、垂直部分とスロープ設置片１２３の端部との間に隙間ｄが形成される。これにより、隙間ｄに達した水が重力により外側に出易くなり、排水機能がより一層向上する。
【００４９】
また、本実施形態では、カバー本体部１１０は、下枠１２に係合するスロープ側係合部１１１を有する。そして、カバー本体部１１０は、スロープ側係合部１１１と下枠１２の係合部分から隙間ｄまでが連通するように内側空間９０を形成する。
【００５０】
これにより、スロープ側係合部１１１と下枠側係合部１２０の係合部分からカバー本体部１１０の内側に侵入した水をカバー本体部１１０の内側空間に留まらせることなく、隙間ｄから排出することができる。本実施形態の水返し材１５１は脱衣室側から浴室側への水が移動し易くなる構造なので、水返し材１５１によって水の排出ができない事態も回避されており、スロープ１００の防水機能を維持しつつ、スロープ１００内側に侵入した水を効率的に排出できる構造が実現されている。
【００５１】
次に、第２実施形態のスロープ２００について説明する。図９は、第２実施形態の下枠に取り付けられたスロープ２００の断面図である。なお、以下の説明において第１実施形態と同様の構成については同じ符号を付してその説明を省略することがある。
【００５２】
第２実施形態のスロープ２００は、カバー本体部２１０の浴室側の形状が第１実施形態の形状と異なっている。図９に示すように、カバー本体部２１０は、スロープ設置片１２３と隙間ｄを形成する延出部２４２が形成される。この延出部２４２は、第１実施形態の延出部１４２と同様に垂直壁となっている。
【００５３】
第２実施形態のスロープ２００は、延出部２４２よりも浴室側に延びる延長部２５０を更に有する。延長部２５０の裏側には第２水返し材２５２を保持する第２水返し材保持部２５１が形成される。延長部２５０の下方は、防水パン２となっており、内側空間９０の外側となっている。
【００５４】
以上説明した第２実施形態の構成においても、延出部２４２とスロープ設置片１２３によって形成される隙間ｄにより、カバー本体部２１０とスロープ設置片１２３の間の内側空間９０に侵入した水を防水パン２側に排出することができる。上述の通り、延長部２５０の下方は、内側空間９０の外側であり、第２実施形態の構成においても、スロープ２００と下枠１２によって形成される内側空間９０に水が留まる事態を効果的に防止できるのである。
【００５５】
以上、本発明の好ましい各実施形態について説明したが、本発明は、上述の実施形態に制限されるものではなく、適宜変更が可能である。
【００５６】
上記実施形態では、延出部１４２は見付方向で途切れることなく形成されているが、見付方向で間隔をあけて延出部が複数形成される構成とすることもできる。また、一部の延出部が浴室の床面（防水パン）に接触し、別の部分が床面に接触しないように構成することもできる。このように、延出部の構成は事情に応じて適宜変更することができる。
【００５７】
上記実施形態では、延出部１４２とスロープ設置片１２３の隙間ｄが０．５ｍｍ〜１．５ｍｍの範囲に設定されているが、この範囲に限定されず、事情に応じてその長さを変更することができる。また、上記実施形態では、隙間ｄが鉛直方向に形成されているがこの構成に限定されない。例えば、隙間の形成される方向が垂直成分を含むように、隙間ｄを斜めに形成することもできる。このように、隙間ｄの形状も事情に応じて適宜変更することができる。
【００５８】
上記実施形態では、下枠１２のスロープ設置片１２３の上面１２４が傾斜するように構成されているが、水平となっている場合にも本発明を適用することができる。
【００５９】
上記実施形態では、引戸式の障子２０を備える建具１を例に説明したがこの構成に限定されない。３枚引戸や開き戸式の障子を備えるもの等、種々の建具に本発明を用いることができる。
【符号の説明】
【００６０】
１  建具
１２  下枠
９０  内側空間
１００  スロープ（カバー部材）
１１０  カバー本体部
１２３  スロープ設置片（下枠）
１４２  延出部
２００  スロープ（カバー部材）
２１０  カバー本体部
２４２  延出部
ｄ  隙間
【図１】
0006661364.tif 000002
【図２】
0006661364.tif 000003
【図３】
0006661364.tif 000004
【図４】
0006661364.tif 000005
【図５】
0006661364.tif 000006
【図６】
0006661364.tif 000007
【図７】
0006661364.tif 000008
【図８】
0006661364.tif 000009
【図９】
0006661364.tif 000010